(57)【特許請求の範囲】
【請求項１】
移動局が、主キャリア及び該主キャリアと搬送波周波数が異なる１つ又は複数の副キャリアを用いた通信を行う移動通信方法であって、
無線基地局が、前記通信において、新規に副キャリアを追加する際に、前記移動局に対して、前記主キャリアにおけるシステムフレーム番号と追加する該副キャリアにおけるシステムフレーム番号との間のオフセットを通知する工程を有することを特徴とする移動通信方法。
【請求項２】
前記無線基地局が、前記通信において、新規に副キャリアを追加する際に、前記移動局に対して、前記主キャリアにおける無線フレームの先頭位置と追加する該副キャリアにおける無線フレームの先頭位置との間のオフセットを通知する工程を更に有することを特徴とする請求項１に記載の移動通信方法。
【請求項３】
移動局が、主キャリア及び該主キャリアと搬送波周波数が異なる１つ又は複数の副キャリアを用いた通信を行うことができる移動通信システムにおいて用いられる無線基地局であって、
前記通信において、新規に副キャリアを追加する際に、前記移動局に対して、前記主キャリアにおけるシステムフレーム番号と追加する該副キャリアにおけるシステムフレーム番号との間のオフセットを通知するように構成されている通知部を具備することを特徴とする無線基地局。
【請求項４】
前記通知部は、前記通信において、新規に副キャリアを追加する際に、前記移動局に対して、更に、前記主キャリアにおける無線フレームの先頭位置と追加する該副キャリアにおける無線フレームの先頭位置との間のオフセットを通知するように構成されていることを特徴とする請求項３に記載の無線基地局。
【発明の詳細な説明】
【技術分野】
【０００１】
本発明は、移動通信方法及び無線基地局に関する。
【背景技術】
【０００２】
３ＧＰＰでは、ＬＴＥ（Ｌｏｎｇ  Ｔｅｒｍ  Ｅｖｏｌｕｔｉｏｎ）-Ａｄｖａｎｃｅｄ方式の移動通信システムにおいて、ＣＡ（Ｃａｒｒｉｅｒ  Ａｇｇｒｅｇａｔｉｏｎ）通信を開始する移動局ＵＥ、又は、既にＣＡ通信を行っている移動局ＵＥに対して、ＳＣＣ（Ｓｅｃｏｎｄａｒｙ  Ｃｏｍｐｏｎｅｎｔ  Ｃａｒｒｉｅｒ）を追加する際に、かかるＳＣＣを利用するために必要な情報を個別に通知することが合意されている。
【０００３】
移動局ＵＥは、ＳＣＣにおいて、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）やＤＲＸ（Ｄｉｓｃｏｎｔｉｎｕｏｕｓ  Ｒｅｃｅｐｔｉｏｎ）制御やＳＲＳ（Ｓｏｕｎｄｉｎｇ  Ｒｅｆｅｒｅｎｃｅ  Ｓｉｇｎａｌ）送信制御等を行う場合に、ＳＣＣにおけるＳＦＮ（Ｓｙｓｔｅｍ  Ｆｒａｍｅ  Ｎｕｍｂｅｒ、システムフレーム番号）を把握している必要がある。
【０００４】
したがって、ＣＡ通信を行っている移動局ＵＥに対して、ＳＣＣを追加する際に、ＳＣＣにおけるＳＦＮについても個別に通知することが考えられる。
【先行技術文献】
【非特許文献】
【０００５】
【非特許文献１】ＴＳ３６.３３１  ｖ９.２.０
【非特許文献２】ＴＳ３６.３００  ｖ９.２.０
【発明の概要】
【発明が解決しようとする課題】
【０００６】
しかしながら、出願人は、上述の移動通信システムについて、以下のような問題点を発見した。
【０００７】
すなわち、移動局ＵＥに対して、ＳＣＣにおけるＳＦＮについて個別に通知する場合、レイヤ２再送制御（ＨＡＲＱ及びＲＬＣ-ＡＭ制御）が行われるため、無線基地局ｅＮＢが、移動局ＵＥに対して、ＳＣＣにおけるＳＦＮの絶対値を含むＲＲＣメッセージを送信すると、移動局ＵＥが、かかるＲＲＣメッセージを受信した際には、ＳＣＣにおけるＳＦＮが進んでしまっており、移動局ＵＥに対して、ＳＣＣにおけるＳＦＮを正確に通知することができない可能性がある。
【０００８】
そこで、本発明は、上述の課題に鑑みてなされたものであり、ＣＡ通信を行っている移動局に対して、ＳＣＣを追加する際に、正確にＳＣＣにおけるＳＦＮを通知することができる移動通信方法及び無線基地局を提供することを目的とする。
【課題を解決するための手段】
【０００９】
本発明の第１の特徴は、移動局が、主キャリア及び該主キャリアと搬送波周波数が異なる１つ又は複数の副キャリアを用いた通信を行う移動通信方法であって、無線基地局が、前記通信において、新規に副キャリアを追加する際に、前記移動局に対して、前記主キャリアにおけるシステムフレーム番号と追加する該副キャリアにおけるシステムフレーム番号との間のオフセットを通知する工程を有することを要旨とする。
【００１０】
本発明の第２の特徴は、移動局が、主キャリア及び該主キャリアと搬送波周波数が異なる１つ又は複数の副キャリアを用いた通信を行うことができる移動通信システムにおいて用いられる無線基地局であって、前記通信において、新規に副キャリアを追加する際に、前記移動局に対して、前記主キャリアにおけるシステムフレーム番号と追加する該副キャリアにおけるシステムフレーム番号との間のオフセットを通知するように構成されている通知部を具備することを要旨とする。
【発明の効果】
【００１１】
以上説明したように、本発明によれば、ＣＡ通信を行っている移動局に対して、ＳＣＣを追加する際に、正確にＳＣＣにおけるＳＦＮを通知することができる移動通信方法及び無線基地局を提供することができる。
【図面の簡単な説明】
【００１２】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるＰＣＣ及びＳＣＣの送信タイミングについて説明するための図である。
【図４】本発明の第１の実施形態に係る無線基地局によるＰＣＣ及びＳＣＣの送信タイミングについて説明するための図である。
【図５】本発明の第１の実施形態に係る移動通信システムで用いられる「ＲＲＣ  ｃｏｎｎｅｃｔｉｏｎ  ｒｅｃｏｎｆｉｇｕｒａｔｉｏｎ」メッセージのフォーマットの一例を示す図である。
【図６】本発明の第１の実施形態に係る移動通信システムの動作を説明するためのシーケンス図である。
【発明を実施するための形態】
【００１３】
（本発明の第１の実施形態に係る移動通信システム）
図１乃至図６を参照して、本発明の第１の実施形態に係る移動通信システムの構成について説明する。本実施形態に係る移動通信システムは、ＬＴＥ-Ａｄｖａｎｃｅｄ方式（ＬＴＥ  Ｒｅｌｅａｓｅ-１０方式）の移動通信システムである。
【００１４】
本実施形態に係る移動通信システムでは、移動局ＵＥは、ＰＣＣ及びＰＣＣと搬送波周波数（ＥＡＲＦＣＮ）が異なる１つ又は複数のＳＣＣを用いたＣＡ通信を行うことができるように構成されている。
【００１５】
図１に示すように、本実施形態に係る移動通信システムでは、ＣＡ通信において、ＥＡＲＦＣＮ＃１乃至ＥＡＲＦＣＮ＃５のＣＣを用いることができるように構成されている。
【００１６】
本実施形態に係る移動通信システムでは、図１に示すように、移動局ＵＥは、ＥＡＲＦＣＮ＃１のＣＣを「ＰＣＣ」とし、ＥＡＲＦＣＮ＃２のＣＣを「ＳＣＣ＃１」とし、ＥＡＲＦＣＮ＃３のＣＣを「ＳＣＣ＃２」として、ＣＡ通信を行っている。
【００１７】
ここで、移動局ＵＥのＰＣＣにおけるサービングセルは、「Ｐｃｅｌｌ」であり、移動局ＵＥのＳＣＣ＃１におけるサービングセルは、「Ｓｃｅｌｌ＃１」であり、移動局ＵＥのＳＣＣ＃２におけるサービングセルは、「Ｓｃｅｌｌ＃２」である。
【００１８】
図２に示すように、無線基地局ｅＮＢは、ＣＡ制御部１１と、ＲＲＣメッセージ送信部１２とを具備している。
【００１９】
ＣＡ制御部１１は、移動局ＵＥにおけるＣＡ通信を制御するように構成されている。
【００２０】
具体的には、ＣＡ制御部１１は、ＣＡ通信を行っている移動局ＵＥに対して、ＳＣＣを追加する際に、かかる移動局ＵＥのＰＣＣにおけるＳＦＮと追加するＳＣＣにおけるＳＦＮとの間のオフセットを算出するように構成されている。
【００２１】
図３の例では、移動局ＵＥのＰＣＣにおける無線フレーム（１０ｍｓ）の先頭位置及び追加するＳＣＣにおける無線フレーム（１０ｍｓ）の先頭位置は揃っているが、移動局ＵＥのＰＣＣにおけるＳＦＮ及び追加するＳＣＣにおけるＳＦＮはずれている。
【００２２】
かかる場合、ＣＡ制御部１１は、かかる移動局ＵＥのＰＣＣにおけるＳＦＮと追加するＳＣＣにおけるＳＦＮとの間のオフセットを「３１３」と算出するように構成されていてもよい。
【００２３】
なお、移動局ＵＥは、ＳＣＣへの同期確立時に、ＢＣＨ（Ｂｒｏａｄｃａｓｔ  Ｃｈａｎｎｅｌ）或いはＭＩＢ（Ｍａｓｔｅｒ  Ｉｎｆｏｒｍａｔｉｏｎ  Ｂｌｏｃｋ）上のＳＦＮが更新される周期「４０ｍｓ」を把握することができる場合は、ＳＦＮのＭＳＢ（Ｍｏｓｔ  Ｓｉｇｎｉｆｉｃａｎｔ  Ｂｉｔ）の８ビットのみを用いることも考えられる。
【００２４】
かかる場合、ＣＡ制御部１１は、かかる移動局ＵＥのＰＣＣにおけるＳＦＮと追加するＳＣＣにおけるＳＦＮとの間のオフセットを「７８（＝３１３０/４０）」と算出するように構成されていてもよい。
【００２５】
また、図４の例では、移動局ＵＥのＰＣＣにおけるＳＦＮ及び追加するＳＣＣにおけるＳＦＮに加えて、移動局ＵＥのＰＣＣにおける無線フレーム（１０ｍｓ）の先頭位置及び追加するＳＣＣにおける無線フレーム（１０ｍｓ）の先頭位置もずれている。
【００２６】
かかる場合、ＣＡ制御部１１は、かかる移動局ＵＥのＰＣＣにおけるＳＦＮと追加するＳＣＣにおけるＳＦＮとの間のオフセットを「３１３」と算出し、かつ、ＰＣＣにおける無線フレームの先頭位置と追加するＳＣＣにおける無線フレームの先頭位置との間のオフセット（サブフレームのオフセット）を「３」と算出するように構成されていてもよい。
【００２７】
或いは、かかる場合、ＣＡ制御部１１は、かかる移動局ＵＥのＰＣＣにおけるＳＦＮと追加するＳＣＣにおけるＳＦＮとの間のオフセットを「７８（＝３１３０/４０）」と算出し、かつ、ＰＣＣにおける無線フレームの先頭位置と追加するＳＣＣにおける無線フレームの先頭位置との間のオフセット（サブフレームのオフセット）を「３」と算出するように構成されていてもよい。
【００２８】
ＲＲＣメッセージ送信部１２は、ＲＲＣ_Ｃｏｎｎｅｃｔｅｄ状態の移動局ＵＥに対して、「ＲＲＣ  ｃｏｎｎｅｃｔｉｏｎ  ｒｅｃｏｎｆｉｇｕｒａｔｉｏｎ」メッセージ等のＲＲＣメッセージを送信するように構成されている。
【００２９】
ここで、ＲＲＣメッセージ送信部１２は、ＣＡ通信を行っている移動局ＵＥに対して、新規にＳＣＣを追加する際に、「ＲＲＣ  ｃｏｎｎｅｃｔｉｏｎ  ｒｅｃｏｎｆｉｇｕｒａｔｉｏｎ」メッセージによって、ＰＣＣにおけるＳＦＮと追加するＳＣＣにおけるＳＦＮとの間のオフセットを通知するように構成されていてもよい。
【００３０】
例えば、図５に示すように、ＲＲＣメッセージ送信部１２は、「ＲＲＣ  ｃｏｎｎｅｃｔｉｏｎ  ｒｅｃｏｎｆｉｇｕｒａｔｉｏｎ」メッセージ内の情報要素「ＳｃｅｌｌＣｏｎｆｉｇ-ｒ１０」の「ｓｆｎ-Ｏｆｆｓｅｔ-ｒ１０」によって、ＰＣＣにおけるＳＦＮと追加するＳＣＣにおけるＳＦＮとの間のオフセットを通知するように構成されていてもよい。
【００３１】
図３の例では、ＲＲＣメッセージ送信部１２は、ＣＡ通信を行っている移動局ＵＥに対して、新規にＳＣＣを追加する際に、上述の「ｓｆｎ-Ｏｆｆｓｅｔ-ｒ１０」に「３１３」或いは「７８」が設定された「ＲＲＣ  ｃｏｎｎｅｃｔｉｏｎ  ｒｅｃｏｎｆｉｇｕｒａｔｉｏｎ」メッセージを送信するように構成されている。
【００３２】
また、ＲＲＣメッセージ送信部１２は、ＣＡ通信を行っている移動局ＵＥに対して、新規にＳＣＣを追加する際に、「ＲＲＣ  ｃｏｎｎｅｃｔｉｏｎ  ｒｅｃｏｎｆｉｇｕｒａｔｉｏｎ」メッセージによって、ＰＣＣにおける無線フレームの先頭位置と追加するＳＣＣにおける無線フレームの先頭位置との間のオフセット（サブフレームのオフセット）を通知するように構成されていてもよい。
【００３３】
例えば、図５に示すように、ＲＲＣメッセージ送信部１２は、「ＲＲＣ  ｃｏｎｎｅｃｔｉｏｎ  ｒｅｃｏｎｆｉｇｕｒａｔｉｏｎ」メッセージ内の情報要素「ＳｃｅｌｌＣｏｎｆｉｇ-ｒ１０」の「ｓｕｂｆｒａｍｅ-ｓｈｉｆｔ-ｒ１０」によって、ＰＣＣにおける無線フレームの先頭位置と追加するＳＣＣにおける無線フレームの先頭位置との間のオフセット（サブフレームのオフセット）を通知するように構成されていてもよい。
【００３４】
図４の例では、ＲＲＣメッセージ送信部１２は、ＣＡ通信を行っている移動局ＵＥに対して、新規にＳＣＣを追加する際に、上述の「ｓｆｎ-Ｏｆｆｓｅｔ-ｒ１０」に「３１３」或いは「７８」が設定され、かつ、上述の「ｓｕｂｆｒａｍｅ-ｓｈｉｆｔ-ｒ１０」に「３」が設定された「ＲＲＣ  ｃｏｎｎｅｃｔｉｏｎ  ｒｅｃｏｎｆｉｇｕｒａｔｉｏｎ」メッセージを送信するように構成されている。
【００３５】
なお、移動局ＵＥは、ＳＣＨ（Ｓｙｎｃｒｏｎｉｚａｔｉｏｎ  Ｃｈａｎｎｅｌ）を用いて同期を確立した際に、ＰＣＣにおける無線フレームの先頭位置と追加するＳＣＣにおける無線フレームの先頭位置との間のオフセット（サブフレームのオフセット）を把握することができる場合は、図４の例においても、ＲＲＣメッセージ送信部１２は、ＣＡ通信を行っている移動局ＵＥに対して、新規にＳＣＣを追加する際に、ＰＣＣにおける無線フレームの先頭位置と追加するＳＣＣにおける無線フレームの先頭位置との間のオフセット（サブフレームのオフセット）を通知しないように構成されていてもよい。
【００３６】
図６を参照して、本発明の第１の実施形態に係る移動通信システムの動作について説明する。
【００３７】
図６に示すように、移動局ＵＥが、ＣＡ通信において、新規にＳＣＣを追加する際に、ステップＳ１００１において、無線基地局ｅＮＢ内のＰｃｅｌｌを制御する機能は、Ｐｃｅｌｌにおいて、移動局ＵＥに対して、ＰＣＣにおけるＳＦＮと追加するＳＣＣにおけるＳＦＮとの間のオフセットを含む「ＲＲＣ  ｃｏｎｎｅｃｔｉｏｎ  ｒｅｃｏｎｆｉｇｕｒａｔｉｏｎ」メッセージを送信する。
【００３８】
かかる「ＲＲＣ  ｃｏｎｎｅｃｔｉｏｎ  ｒｅｃｏｎｆｉｇｕｒａｔｉｏｎ」メッセージには、ＰＣＣにおける無線フレームの先頭位置と追加するＳＣＣにおける無線フレームの先頭位置との間のオフセット（サブフレームのオフセット）が含まれていてもよい。
【００３９】
ステップＳ１００２において、移動局ＵＥは、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」メッセージを送信する。
【００４０】
本実施形態に係る移動通信システムによれば、ＣＡ通信を行っている移動局ＵＥに対して、新規にＳＣＣを追加する際に、「ＲＲＣ  ｃｏｎｎｅｃｔｉｏｎ  ｒｅｃｏｎｆｉｇｕｒａｔｉｏｎ」メッセージによって、ＰＣＣにおけるＳＦＮと追加するＳＣＣにおけるＳＦＮとの間のオフセットを通知するように構成されているため、かかる移動局ＵＥに対して、正確に、追加するＳＣＣのＳＦＮを通知することができる。
【００４１】
本実施形態に係る移動通信システムによれば、ＣＡ通信を行っている移動局ＵＥに対して、新規にＳＣＣを追加する際に、「ＲＲＣ  ｃｏｎｎｅｃｔｉｏｎ  ｒｅｃｏｎｆｉｇｕｒａｔｉｏｎ」メッセージによって、ＰＣＣにおける無線フレームの先頭位置と追加するＳＣＣにおける無線フレームの先頭位置との間のオフセット（サブフレームのオフセット）を通知することができるように構成されているため、移動局ＵＥのＰＣＣにおけるＳＦＮ及び追加するＳＣＣにおけるＳＦＮに加えて、移動局ＵＥのＰＣＣにおける無線フレーム（１０ｍｓ）の先頭位置及び追加するＳＣＣにおける無線フレーム（１０ｍｓ）の先頭位置もずれている場合であっても、かかる移動局ＵＥに対して、正確に、追加するＳＣＣのＳＦＮ及び無線フレームの先頭位置を通知することができる。
【００４２】
以上に述べた本実施形態の特徴は、以下のように表現されていてもよい。
【００４３】
本実施形態の第１の特徴は、移動局ＵＥが、ＰＣＣ（主キャリア）及びＰＣＣと搬送波周波数が異なる１つ又は複数のＳＣＣ（副キャリア）を用いたＣＡ通信を行う移動通信方法であって、無線基地局ｅＮＢが、ＣＡ通信において、新規にＳＣＣを追加する際に、移動局ＵＥに対して、ＰＣＣにおけるＳＦＮ（システムフレーム番号）と追加するＳＣＣにおけるＳＦＮとの間のオフセットを通知する工程を有することを要旨とする。
【００４４】
本実施形態の第１の特徴において、無線基地局ｅＮＢが、ＣＡ通信において、新規にＳＣＣを追加する際に、移動局ＵＥに対して、ＰＣＣにおける無線フレームの先頭位置と追加するＳＣＣにおける無線フレームの先頭位置との間のオフセットを通知する工程を更に有してもよい。
【００４５】
本実施形態の第２の特徴は、移動局ＵＥが、ＰＣＣ及びＰＣＣと搬送波周波数が異なる１つ又は複数のＳＣＣを用いたＣＡ通信を行うことができる移動通信システムにおいて用いられる無線基地局ｅＮＢであって、ＣＡ通信において、新規にＳＣＣを追加する際に、移動局ＵＥに対して、ＰＣＣにおけるＳＦＮと追加するＳＣＣにおけるＳＦＮとの間のオフセットを通知するように構成されているＲＲＣメッセージ送信部１２（通知部）を具備することを要旨とする。
【００４６】
本実施形態の第２の特徴において、ＲＲＣメッセージ送信部１２は、ＣＡ通信において、新規にＳＣＣを追加する際に、移動局ＵＥに対して、更に、ＰＣＣにおける無線フレームの先頭位置と追加するＳＣＣにおける無線フレームの先頭位置との間のオフセットを通知するように構成されていてもよい。
【００４７】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００４８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５１】
ｅＮＢ…無線基地局
１１…ＣＡ制御部
１２…ＲＲＣメッセージ送信部
【図１】
0005433493.tif 000002
【図２】
0005433493.tif 000003
【図３】
0005433493.tif 000004
【図４】
0005433493.tif 000005
【図５】
0005433493.tif 000006
【図６】
0005433493.tif 000007